(57)【要約】      （修正有）【課題】電力伝送側の一次コイルと、充電側の二次コイルとの位置関係によらず、二次コイルを備える電子機器の二次電池を、効率よく確実に充電する。【解決手段】一次コイル２２１を備える充電器２００と、二次コイル１１１を備え、一次コイル２２１と二次コイル１１１とを介して充電器２００から第１電流値を取得して、内部の電池３００を充電する。電子機器は、電池３００の充電する無接点充電制御装置１００を備える。無接点充電制御装置１００は、二次コイル１１１を介して、第１電流値を取得する整流平滑回路１１０と、電池３００の第２電流値を指定する複数の切替部１５１〜１５４と、第１電流値と、予め設定された第３電流値との比較し、複数の切替部１５１〜１５４から第１切替部を選択する制御部１４０と、整流平滑回路１１０から取得する第１電流値を、第１切替部が指定する第２電流値に制御し、電池３００へ提供する充電制御部１２０とを含む。【選択図】図１
2010207074.tif 000002
【特許請求の範囲】
【請求項１】
一次コイルを備える充電器と、
二次コイルを備え、前記一次コイルと前記二次コイルとを介して前記充電器から第１電流値の充電電流を取得して、内部の電池を充電する電子機器と
を具備し、
前記電子機器は、
前記電池の充電を制御する無接点充電制御装置
を備え、
前記無接点充電制御装置は、
前記二次コイルを介して、前記第１電流値の充電電流を取得する整流平滑回路と、
前記電池へ提供する充電電流の第２電流値を指定する複数の切替部と、
前記第１電流値と、前記電池を充電するために予め設定された第３電流値との比較に基づいて、前記複数の切替部から第１切替部を選択する制御部と、
前記整流平滑回路から取得する前記第１電流値の充電電流を、前記第１切替部が指定する前記第２電流値に制御し、前記電池へ提供する充電制御部と
を含む
無接点充電制御システム。
【請求項２】
請求項１に記載の無接点充電制御システムであって、
前記制御部は、前記第１切替部に関連付けられた第１充電時間を前記充電制御部へ提供し、
前記充電制御部は、前記第１充電時間に基づいて前記電池の充電を終了する
無接点充電制御システム。
【請求項３】
請求項１又は２に記載の無接点充電制御システムであって、
前記制御部は、
前記第３電流値から前記第１電流値になるまでに減少した割合である電流減少量と、前記複数の切替部とを関連付けたテーブル
を備え、
前記制御部は、前記第１電流値と前記第３電流値とに基づいて前記電流減少量を算出し、前記テーブルに基づいて前記第１切替部を選択する
無接点充電制御システム。
【請求項４】
請求項３に記載の無接点充電制御システムであって、
前記テーブルは、
前記第１切替部と前記第１充電時間とを更に関連付け、
前記制御部は、
前記テーブルに基づいて、前記１切替部に関連付けられた前記第１充電時間を取得し、前記充電制御部へ提供する
無接点充電制御システム。
【請求項５】
請求項１乃至４の何れか一項に記載の無接点充電制御システムであって、
前記充電制御部は、前記第２電流値の定電流充電と、トリクル充電とを前記第１充電時間内で行う
無接点充電制御システム。
【請求項６】
請求項１乃至５の何れか一項に記載の無接点充電制御システムであって、
前記充電器は、携帯電話であり、
前記電子機器は、無線通信によって前記携帯電話と信号を送受信する音声送受信機である
無接点充電制御システム。
【請求項７】
請求項６に記載の無接点充電制御システムであって、
前記携帯電話は、
前記一次コイルに磁束を発生させる無接点電力伝送回路と、
ユーザ入力に基づいて、前記無接点電力伝送回路のオンオフを制御する携帯電話制御部と
を備え、
前記音声送受信機は、
前記無接点充電制御装置のオンオフを制御する音声送受信機制御部
を備える
無接点充電制御システム。
【請求項８】
請求項７に記載の無線点充電制御システムであって、
前記音声送受信機は、
第１識別情報を格納するメモリと、
前記第１識別情報を前記無線通信で送信する送受信部と
を備え、
前記携帯電話は、
前記第１識別情報を受信する携帯電話送受信部と、
前記音声受信機を識別する第２識別情報を格納する携帯メモリと
を備え、
前記携帯電話制御部は、前記第１識別情報と前記第２識別情報とが一致する場合に、一致したことを示す第１信号を、前記携帯電話送受信部から送信するように制御し、
前記音声送受信機制御部は、前記第１信号に基づいて、前記無接点充電制御装置をオンに制御する
無接点充電制御システム。
【請求項９】
請求項１乃至８の何れか一項に記載の無接点充電制御システムで使用される
無接点充電制御装置。
【請求項１０】
二次コイルを備える電子機器が、一次コイルを備える充電器から、前記一次コイルと前記二次コイルとを介して充電電流を取得するステップと、
前記充電電流の第１電流値を算出するステップと、
前記第１電流値と、電池を充電するために予め設定された第３電流値との比較に基づいて、前記電池へ提供する第２電流値を指定する複数の切替部から第１切替部を選択するステップと、
前記第１電流値の前記充電電流を、前記第１切替部が指定する前記第２電流値で前記電池へ提供するステップと
を具備する
無接点充電制御方法。
【請求項１１】
請求項１０に記載の無接点充電制御方法あって、
前記第１切替部を選択するステップは、
前記第１切替部に関連付けられた第１充電時間を取得するステップ
を含み、
前記第２電流値で前記電池へ提供するステップは、
前記第１充電時間の範囲内で、前記電池の充電を終了するステップ
を含む
無接点充電制御方法。
【請求項１２】
請求項１０又は１１に記載の無接点充電制御方法であって、
前記第１切替部を選択するステップは、
前記第３電流値から前記第１電流値になるまでに減少した割合である電流減少量を算出するステップと、
前記電流減少量と、前記複数の切替部とを関連付けたテーブルから、前記第１切替部を選択するステップと
を含む
無接点充電制御方法。
【請求項１３】
請求項１０乃至１２の何れか一項に記載の無接点充電制御方法であって、
前記第２電流値で前記電池へ提供するステップは、
前記第２電流値の定電流充電を行うステップと、
トリクル充電を行うステップと
を含む
無接点充電制御方法。
【請求項１４】
請求項１０乃至１３の何れか一項に記載の無接点充電制御方法であって、
前記充電器は、携帯電話であり、
前記電子機器は、無線通信によって前記携帯電話と信号を送受信する音声送受信機である
無接点充電制御方法。
【請求項１５】
請求項１４に記載の無接点充電制御方法であって、
前記一次コイルと前記二次コイルとを介して前記充電電流を受け取るステップは、
ユーザ入力に基づいて、前記一次コイルと接続する無接点電力伝送回路をオンにするステップと、
前記一次コイルに磁束を発生させるステップと
を含む
無接点充電制御方法。
【請求項１６】
請求項１５に記載の無接点充電制御方法であって、
前記一次コイルと前記二次コイルとを介して前記充電電流を受け取るステップは、
前記音声送受信機が、第１識別情報を前記無線通信で送信するステップと、
前記携帯電話が、予め格納している前記音声受信機を識別する第２識別情報と、前記第１識別情報とが一致するか否かを判定するステップと、
前記携帯電話が、前記第１識別情報と前記第２識別情報とが一致する場合に、一致したことを示す第１信号を送信するステップと、
前記音声送受信機が、前記第１信号に基づいて、前記二次コイルを介して前記充電電流を受け取るステップと
を更に含む
無接点充電制御方法。
【発明の詳細な説明】
【技術分野】
【０００１】
本発明は無接点充電方式に関し、特に無接点充電制御システム、無接点充電制御装置及び無接点充電制御方法に関する。
【背景技術】
【０００２】
携帯電話機などの二次電池を有する電子機器には、二次電池の充電に無接点充電方式を採用しているものがある。無接点充電方式は、電子機器と充電器とを接続するための端子が露出していないため、水濡れやほこりなどの外部要因に基づく端子の劣化を防止することが可能である。
【０００３】
無接点充電方式は、電力伝送側が一次コイルを備え、充電側が二次コイルを備える。充電側である電子機器の二次電池は、電力伝送側である充電器の一次コイルと電子機器の二次コイルとを接近させたときの電磁誘導に基づく電力を、一次コイル及び二次コイルを介して取得することで充電される。二次電池が充電される際、電子機器は所望の電流値を一次コイルから取得するために、充電器の所定の位置へ設置されることが好ましい（例えば、特許文献１、特許文献２及び特許文献３参照）。
【０００４】
充電器が電子機器を設置する位置決め構成を有すると、二次電池の充電効率を高めることができる。しかし、充電器が電子機器を設置する位置決め構成を有すると、充電器は電子機器毎に専用品となってしまう。特許文献４には、電子機器毎に専用の充電器を用意することがなく、利便性を向上させる無接点充電システムが開示されている。この無接点充電システムは、複数の一次コイルを備える充電シートを含む。そして、無接点充電システムは、複数の一次コイルの各々に携帯電話を置いて充電させることが出来ると共に、携帯電話の仕様に応じた発振周波数を自動的に設定することができるというものである。
【先行技術文献】
【特許文献】
【０００５】
【特許文献１】特開平１１−４０２０６号公報
【特許文献２】特開平１１−４０２０７号公報
【特許文献３】特開平１１−４０２０８号公報
【特許文献４】特開２００５−６４４０号公報
【発明の概要】
【発明が解決しようとする課題】
【０００６】
無接点充電方式は、充電効率を高めるために、電力伝送側の一次コイルと充電側の二次コイルとの位置関係を決めておく必要がある。位置関係を決めておかないと、二次コイルを備える充電側の電子機器は、必要な充電電流を十分に取得することができない問題がある。
【０００７】
本発明の目的は、無接点充電方式において、電力伝送側の一次コイルと、充電側の二次コイルとの位置関係によらず、二次コイルを備える電子機器の二次電池を効率よく確実に充電させることができる無接点充電制御システム、無接点充電制御装置および無接点充電制御方法を提供することにある。
【課題を解決するための手段】
【０００８】
本発明の無接点充電制御システムは、一次コイルを備える充電器と、二次コイルを備え、一次コイルと二次コイルとを介して充電器から第１電流値の充電電流を取得して、内部の電池を充電する電子機器とを具備する。電子機器は、電池の充電を制御する無接点充電制御装置を備える。無接点充電制御装置は、二次コイルを介して、第１電流値の充電電流を取得する整流平滑回路と、電池へ提供する充電電流の第２電流値を指定する複数の切替部と、第１電流値と、電池を充電するために予め設定された第３電流値との比較に基づいて、複数の切替部から第１切替部を選択する制御部と、整流平滑回路から取得する第１電流値の充電電流を、第１切替部が指定する第２電流値に制御し、電池へ提供する充電制御部とを含む。
【０００９】
本発明の無接点充電制御方法は、二次コイルを備える電子機器が、一次コイルを備える充電器から、一次コイルと二次コイルとを介して充電電流を取得するステップと、充電電流の第１電流値を算出するステップと、第１電流値と、電池を充電するために予め設定された第３電流値との比較に基づいて、電池へ提供する第２電流値を指定する複数の切替部から第１切替部を選択するステップと、第１電流値の充電電流を、第１切替部が指定する第２電流値で電池へ提供するステップとを具備する。
【発明の効果】
【００１０】
本発明の無接点充電制御システム、無接点充電制御装置および無接点充電制御方法は、無接点充電方式において、電力伝送側の一次コイルと、充電側の二次コイルとの位置関係によらず、二次コイルを備える電子機器の二次電池を、効率よく確実に充電させることができる。
【図面の簡単な説明】
【００１１】
【図１】図１は、本発明の第１の実施の形態による無接点充電制御システムの構成例を示すブロック図である。
【図２】図２は、制御部１４０が保持するテーブルである。
【図３】図３は、本発明の無接点充電制御装置１００の実施の形態による処理動作を示したフローチャートである。
【図４】図４は、本発明の無接点充電制御装置１００が電池３００を充電する際の、充電時間と、充電電流との関係を示した図である。
【図５】図５は、本発明の第１の実施の形態の無接点充電制御システムにおいて、電子機器としての携帯電話５００の構成例を示すブロック図である。
【図６】図６は、本発明の第１の実施の形態による無接点充電制御システムにおける充電方法を示した図である。
【図７】図７は、本発明の第１の実施の形態の無接点充電制御システムにおいて、複数の携帯電話５００が同時に充電される場合を示した図である。
【図８】図８は、ＡＣＡＤＰ９００を用いた充電制御構成図である。
【図９】図９は、図８に示した充電制御構成を用いて電池３００を充電する際の、充電時間と充電電流との関係を示した図である。
【図１０】図１０は、本発明の第２の実施の形態の無接点充電制御システムの構成例を示す図である。
【図１１】図１１は、本発明の第２の実施の形態の無接点充電制御システムにおける、携帯電話６００の構成を示すブロック図である。
【図１２】図１２は、本発明の第２の実施の形態の無接点充電制御システムにおける、ワイヤレスヘッドセット８００の構成を示すブロック図である。
【図１３】図１３は、本発明の第２の実施の形態による無接点充電システムの処理動作を示したフローチャートである。
【図１４】図１４は、携帯電話６００が電池６４０を充電する処理動作を示すフローチャートである。
【図１５】図１５は、本発明の第３の実施の形態による無接点充電システムの処理動作を示したフローチャートである。
【図１６】図１６は、従来の携帯電話１６００の構成例を示すブロック図である。
【図１７】図１７は、従来のワイヤレスヘッドセット１８００の構成例を示すブロック図である。
【発明を実施するための形態】
【００１２】
以下、添付図面を参照して本発明の実施の形態による無接点充電制御システム、無接点充電制御装置および無接点充電制御方法を説明する。
【００１３】
（第１の実施の形態）
図１は、本発明の第１の実施の形態による無接点充電制御システムの構成例を示すブロック図である。図１を参照すると、無接点充電制御システムは、電力伝送側の充電器２００と、充電側の電子機器とを具備する。充電側の電子機器は、無接点充電制御装置１００と、電池３００と、負荷４００とを備える。充電器２００は一次コイル２２１を備え、電子機器（無接点充電制御装置１００）に電力を提供する。電子機器は、無接点充電制御装置１００が二次コイル１１１を備え、一次コイル２２１と二次コイル１１１とを介して充電器２００から充電電流を取得し、電池３００を充電する。電池３００は充電後、負荷４００へ電力を提供することができる。
【００１４】
充電器２００は、ＡＣＡＤＰ（ＡＣアダプタ）２１０と、無接点電力伝送回路２２０と、一次コイル２２１とを具備する。ＡＣＡＤＰ２１０は、電源プラグ２１１から受け取る電圧１００〜２４０Ｖの電流を降圧し、更に、整流、平滑して、無接点電力伝送回路２２０へ提供する。無接点電力伝送回路２２０は、ＡＣＡＤＰ２１０から受け取る電力に基づいて、一次コイル２２１に磁束を発生させる。一次コイル２２１に発生した磁束は、電磁誘導により二次コイル１１１に電力を発生させる。本実施の形態では、充電器２００が整流平滑回路１１０へ提供する電圧は約４．２Ｖであるとして説明するが、電圧を限定するものではない。
【００１５】
無接点充電制御装置１００は、整流平滑回路１１０と、二次コイル１１１と、充電制御ＩＣ１２０と、ＡＤＣ（Ａｎａｌｏｇ  Ｔｏ  Ｄｉｇｉｔａｌ  Ｃｏｎｖｅｒｔｅｒ）１３０と、制御部１４０と、電流切替部１５０とを具備する。
【００１６】
二次コイル１１１は、充電器２００の一次コイル２２１に基づいて、電磁誘導に基づく電力を発生させる。整流平滑回路１１０は、二次コイル１１１を介して充電器２００から電力（充電電流）を受け取る。整流平滑回路１１０は、受け取った充電電流を整流及び平滑し、充電制御ＩＣ１２０へ提供する。
【００１７】
充電制御ＩＣ１２０は、整流平滑回路１１０から取得した充電電流及び充電電圧を制御して、定電流充電と、定電流充電後のトリクル充電（定電圧充電）とにより電池３００を満充電にする。充電制御ＩＣ１２０は、制御部１４０から提供される充電時間ｔに基づいて電池３００を充電する。充電制御ＩＣ１２０は、電流調整部１２１と、モニタ部１２２と、ゲート制御部１２６と、充電電流設定回路１２７とを備える。
【００１８】
電流調整部１２１は、ゲート制御部１２６の制御に基づいて、整流平滑回路１１０から取得し電池３００へ提供する充電電流の電流値を調整する。電流調整部１２１は、Ｐ−ＭＯＳトランジスタが例示される。
【００１９】
モニタ部１２２は、電圧、電流及び電池温度を計測し、ゲート制御部１２６及びＡＤＣ１３０へ提供する。モニタ部１２２は、電圧を測定する電圧モニタ１２３と、電流を測定する電流モニタ１２４と、温度を測定する温度モニタ１２５とを含む。尚、温度モニタ１２５は、電池３００近傍に設けられた温度センサに基づき、電池３００の温度を測定する。
【００２０】
ゲート制御部１２６は、モニタ部１２２から各測定値を取得する。ゲート制御部１２６は、モニタ部１２２から取得した各測定値、或いは充電電流設定回路１２７から取得した電流値に基づいて、電流調整部１２１が整流平滑回路１１０から取得し、電池３００へ提供する充電電流の電流値を制御する。
【００２１】
ゲート制御部１２６は、モニタ部１２２の測定値に基づいて、異常充電や電池３００の満充電を判定する。ゲート制御部１２６は、異常充電や電池の３００満充電を検出した場合は、電流調整部１２１を制御して充電電流の提供を停止させる。例えば、ゲート制御部１２６は、温度モニタ１２５が測定する温度に基づいて、電池３００の異常充電を判定することができる。ゲート制御部１２６は、正常な電池３００が単位時間当たりに上昇する電池温度を保持する。そして、ゲート制御部１２６は、温度モニタ１２５から取得した単位時間当たりに上昇する温度と、保持している単位時間当たりに上昇する電池温度とを比較し、電池３００に異常があると判定した場合は、電流調整部１２１を制御して充電電流の提供を停止させる。
【００２２】
異常充電や電池３００が満充電でない場合、ゲート制御部１２６は、電流調整部１２１を制御して、充電時間ｔの中で、予備充電、定電流充電及びトリクル充電の制御を行う。定電流充電では、ゲート制御部１２６は、充電電流設定回路１２７から取得した指定電流値で、充電電流を電池３００へ提供するように電流調整部１２１を制御する。指定電流値は、計測された充電電流の電流値の範囲内で、電池３００を定電流充電する際に用いる任意の電流値である。尚、指定電流値は、後述する電流切替部１５０が指定し、充電電流設定回路１２７へ提供される。初期設定では、充電電流設定回路１２７は電池３００の容量に対して予め設定された最適な電流値を設定している。つまり初期設定では、ゲート制御部１２６は最適な電流値で充電電流を取得するように、電流調整部１２１を制御する。また、ゲート制御部１２６は、指定電流値に関連付けられた充電時間ｔを制御部１４０から取得する。そして、ゲート制御部１２６は、充電時間ｔが満了すると電池３００への充電電流の提供を停止させる。
【００２３】
充電電流設定回路１２７は、電池３００へ提供する充電電流の指定電流値を電流切替部１５０から取得する。そして、充電電流設定回路１２７は、指定電流値をゲート制御部１２６へ提供する。
【００２４】
ＡＤＣ１３０は、モニタ１２２から抵抗Ｒ０における電圧降下分の電位差を取得し、制御部１４０へ提供する。
【００２５】
制御部１４０は、ＡＤＣ１３０から取得した電圧降下分の電位差に基づいて、抵抗Ｒ０における充電電流の電流値を算出する。制御部１４０は、電池３００の容量に対して予め設定された最適の電流値を保持している。制御部１４０は、抵抗Ｒ０における現在の充電電流の電流値と、保持している最適の電流値とを比較し、最適の電流値から現在の充電電流の電流値になるまでに減少した割合（電流減少量Ｘ）を算出する。制御部１４０は、電流減少量Ｘの値に基づいて、電流切替部１５０が備える複数の切替部としてのＮ−ＭＯＳトランジスタ１５１〜１５４から１つを選択する。
【００２６】
制御部１４０がＮ−ＭＯＳトランジスタ１５１〜１５４から１つを選択する詳細を説明する。図２は、制御部１４０が保持するテーブルである。図２を参照すると、電流減少量Ｘの範囲と、Ｎ−ＭＯＳトランジスタ１５１〜１５４のＮ−ＭＯＳゲート端子１〜ｎと、充電時間変更比率とが関連付けられている。制御部１４０は、電流減少量Ｘを算出すると、図２のテーブルを参照し、電流減少量Ｘの範囲に関連付けられた複数のＮ−ＭＯＳトランジスタのＮ−ＭＯＳゲート端子から１つを選択する。
【００２７】
また、制御部１４０は、電流減少量Ｘを算出すると、図２のテーブルを参照して、充電時間ｔの変更比率を取得する。制御部１４０は、変更比率に基づいて算出した充電時間ｔをゲート制御部１２６へ提供する。つまり、制御部１４０がゲート制御部１２６へ提供する充電時間ｔは、電流切替部１５０が指定する指定電流値に関連付けられている。尚、初期設定では、制御部１４０はＮ−ＭＯＳトランジスタ１５１のＮ−ＭＯＳゲート端子１をオンにしている。
【００２８】
電流切替部１５０は、複数の切替部としてのＮ−ＭＯＳトランジスタ１５１〜１５４及び抵抗Ｒ１〜ＲＮを備える。Ｎ−ＭＯＳトランジスタ１５１〜１５４は、対応するＮ−ＭＯＳゲート端子１〜ｎを含む。複数の切替部としてのＮ−ＭＯＳトランジスタ１５１〜１５４及び抵抗Ｒ１〜ＲＮの各々は、電池３００へ提供する充電電流の電流値（指定電流値）を指定する。尚、電流切替部１５０のＮ−ＭＯＳトランジスタ１５１及び抵抗Ｒ１が指定する指定電流値は、電池３００の容量に対して設定された最適な電流値である。
【００２９】
図３は、本発明の無接点充電制御装置１００の実施の形態による処理動作を示したフローチャートである。図３を参照して、本発明の実施の形態による無接点充電制御装置１００の処理動作を説明する。尚、無接点充電制御装置１００は、充電器２００から電力を取得できる位置に配置されている。
【００３０】
電圧モニタ１２３は電池３００の電圧を測定し、ゲート制御部１２６へ提供する。ゲート制御部１２６は、電圧モニタ１２３の測定値に基づいて、電池３００が満充電であるか否かを判定する（ステップＳ０１）。
【００３１】
ステップＳ０１において、ゲート制御部１２６が満充電であると判定すると、無接点充電制御装置１００は電池３００の充電を終了する（ステップＳ０２）。
【００３２】
ステップＳ０１において、電池３００が満充電でないと判定すると、ゲート制御部１２６は、充電電流設定回路１２７から指定電流値を取得し、指定電流値で充電電流を取得するように電流調整部１２１を制御する。初期状態の指定電流値は、電池３００の容量に対して設定された最適な電流値である。詳細には、制御部１４０がＮ−ＭＯＳトランジスタ１５１のＮ−ＭＯＳゲート端子１をオンにしており、電流切替部１５０がＮ−ＭＯＳトランジスタ１５１及び抵抗Ｒ１に基づいた最適な電流値を充電電流設定部１２７へ提供している。電流調整部１２１は、ゲート制御部１２６の制御に基づいて、最適な電流値の範囲で充電電流を取得する。ここで、充電電流は充電器２００から整流平滑回路１１０を介して提供されており、電圧は約４．２Ｖであるとする。
【００３３】
電圧モニタ１２３は充電電圧を測定し、ゲート制御部１２６へ提供する。ゲート制御部１２６は、充電電圧が４．２Ｖ±１０％の範囲であるか否かを判定する（ステップＳ０３）。
【００３４】
ステップＳ０３において、ゲート制御部１２６は充電電圧が４．２Ｖ±１０％の範囲にないと判定すると、電流調整部１２１を制御して、電池３００へ提供する充電電流を停止する。即ち、無接点充電制御装置１００は、電池３００の充電を異常終了する（ステップＳ０４）。
【００３５】
ステップＳ０３において、ゲート制御部１２６は充電電圧が４．２Ｖ±１０％の範囲にあると判定した場合を説明する。ＡＤＣ１３０は、電圧モニタ１２３から抵抗Ｒ０における電圧降下分の電位差を取得し、制御部１４０へ提供する。制御部１４０は、取得した電圧降下分の電位差に基づいて、抵抗Ｒ０における現在の充電電流の電流値を算出する。制御部１４０は、電池３００の容量に対して予め設定された最適な電流値を保持している。制御部１４０は、抵抗Ｒ０における現在の充電電流値と、保持している最適な電流値とを比較し、最適な電流値から現在の電流値になるまでに減少した割合（電流減少量Ｘ）を算出する。そして、制御部１４０は、電流減少量Ｘが０％≦Ｘ≦２％であるか否かを判定する（ステップＳ０５）。
【００３６】
ステップＳ０５において、制御部１４０は、電流減少量Ｘが０％≦Ｘ≦２％であると判定すると、図２に示したテーブルを参照し、Ｎ−ＭＯＳゲート端子１のオンを保持する。そして、制御部１４０は、充電時間ｔをゲート制御部１２６へ提供する。つまり、ゲート制御部１２６は、電池３００へ現在の充電電流を提供し、充電を開始する。
このように、ゲート制御部１２６は、制御部１４０に選択された電流切替部１５０が指定する指定電流値を充電電流設定回路１２７から取得し、整流平滑回路１１０から取得する充電電流を指定電流値に制御して、電池３００へ提供させる。ゲート制御部１２６は、この指定電流値で定電流充電の制御を行う。また、ゲート制御部１２６は、電流切替部１５０が指定する指定電流値と関連付けられた充電時間ｔを制御部１４０から取得する。そして、ゲート制御部１２６は、指定電流値での定電流充電後にトリクル充電を行い、充電時間ｔの経過に基づいて充電電流を電池３００へ提供することを停止するように電流調整部１２１を制御する。定電流充電からトリクル充電への制御は周知の方法を用いることができる（ステップＳ０６）。
【００３７】
図４は、本発明の無接点充電制御装置１００が電池３００を充電する際の、充電時間と、充電電流との関係を示した図である。図４を参照すると、横軸が電池３００を充電する充電時間Ｔを表し、縦軸が電池３００へ提供する充電電流ＩＣＨＧ及び電池３００の電圧を表す。図４では、低電流の予備充電以降に、指定電流値で定電流充電を行い、その後トリクル充電を行っていることが示されている。図中のＡ１は、電流減少量Ｘが０％≦Ｘ≦２％であり、電池３００の容量に応じて予め設定された最適な電流値で定電流充電を行った場合の充電電流の制御を示したものである。Ａ１は、定電流充電後に、トリクル充電を行い充電時間ｔ１に基づいて充電が終了している。尚、Ａ１に対応する電池３００の電圧はＡ２で示されている。
【００３８】
ステップＳ０５において、制御部１４０は、電流減少量Ｘが０％≦Ｘ≦２％でないと判定すると、電流減少量Ｘが２％＜Ｘ≦１０％であるか否かを判定する（ステップＳ０７）。
【００３９】
ステップＳ０７において、制御部１４０は、電流減少量Ｘが２％＜Ｘ≦１０％であると判定すると、図２のテーブルを参照し、Ｎ−ＭＯＳトランジスタ１５１のＮ−ＭＯＳゲート端子１をオフにし、Ｎ−ＭＯＳトランジスタ１５２のＮ−ＭＯＳゲート端子２をオンにする。電流設定部１５０は、Ｎ−ＭＯＳトランジスタ１５２及び抵抗Ｒ２に基づく指定電流値を充電電流設定回路１２７へ提供する。充電電流設定回路１２７はＮ−ＭＯＳトランジスタ１５２及び抵抗Ｒ２に基づいた指定電流値を取得し、ゲート制御部１２６へ提供する（ステップＳ０８）。
【００４０】
ゲート制御部１２６は、指定電流値で充電電流を取得するように、電流調整部１２１を制御する。制御部１４０は、図２のテーブルを参照し、指定電流値に関連付けられた充電時間変更比率１．１を取得する。制御部１４０は、充電時間ｔをｔ×１．１に設定し、ゲート制御部１２６へ提供する（ステップＳ０９）。そして、ゲート制御部１２６は、充電電流設定回路１２７から取得した指定電流値と、指定電流値に関連付けられた充電時間ｔとで電池３００の充電を開始するステップＳ０６へ進む。
【００４１】
ステップＳ０７において、制御部１４０は、電流減少量Ｘが２％＜Ｘ≦１０％でないと判定すると、電流減少量Ｘが１０％＜Ｘ≦２０％であるか否かを判定する（ステップＳ０１０）。
【００４２】
ステップＳ１０において、制御部１４０は、電流減少量Ｘが１０％＜Ｘ≦２０％であると判定すると、図２のテーブルを参照し、Ｎ−ＭＯＳトランジスタ１５１のＮ−ＭＯＳゲート端子１をオフにし、Ｎ−ＭＯＳトランジスタ１５３のＮ−ＭＯＳゲート端子３をオンにする。電流設定部１５０は、Ｎ−ＭＯＳトランジスタ１５３及び抵抗Ｒ３に基づく指定電流値を充電電流設定回路１２７へ提供する。充電電流設定回路１２７はＮ−ＭＯＳトランジスタ１５３及び抵抗Ｒ３に基づいた指定電流値を取得し、ゲート制御部１２６へ提供する。充電電流設定回路１２７はＮ−ＭＯＳトランジスタ１５３及び抵抗Ｒ３に基づいた指定電流値をゲート制御部１２６へ提供する（ステップＳ１１）。
【００４３】
ゲート制御部１２６は、指定電流値で充電電流を取得するように、電流調整部１２１を制御する。制御部１４０は、図２のテーブルを参照し、指定電流値に関連付けられた充電時間変更比率１．２を取得する。制御部１４０は、充電時間ｔをｔ×１．２に設定し、ゲート制御部１２６へ提供する（ステップＳ１２）。そして、ゲート制御部１２６は、充電電流設定回路１２７から取得した指定電流値と、指定電流値に関連付けられた充電時間ｔとで電池３００の充電を開始するステップＳ０６へ進む。
【００４４】
ステップＳ１０において、制御部１４０は、電流減少量Ｘが１０％＜Ｘ≦２０％でないと判定すると、電流減少量Ｘが２０％＜Ｘ≦３０％であるか否かを判定する（ステップＳ１３）。
【００４５】
ステップＳ１３において、制御部１４０は、電流減少量Ｘが２０％＜Ｘ≦３０％であると判定すると、図２のテーブルを参照して、Ｎ−ＭＯＳトランジスタ１５１のＮ−ＭＯＳゲート端子１をオフにし、Ｎ−ＭＯＳゲート端子４（図１では省略）をオンにする。電流設定部１５０は、指定電流値を充電電流設定回路１２７へ提供する。充電電流設定回路１２７は指定電流値を取得し、ゲート制御部１２６へ提供する。充電電流設定回路１２７は指定電流値をゲート制御部１２６へ提供する。充電電流設定回路１２７はＮ−ＭＯＳゲート端子４に関連する指定電流値をゲート制御部１２６へ提供する（ステップＳ１４）。
【００４６】
ゲート制御部１２６は、指定電流値で充電電流を取得するように、電流調整部１２１を制御する。制御部１４０は、図２のテーブルを参照し、指定電流値に関連付けられた充電時間変更比率１．３を取得する。制御部１４０は、充電時間ｔをｔ×１．３に設定し、ゲート制御部１２６へ提供する（ステップＳ１５）。そして、ゲート制御部１２６は、充電電流設定回路１２７から取得した指定電流値と、指定電流値に関連付けられた充電時間ｔとで電池３００の充電を開始するステップＳ０６へ進む。
【００４７】
図４を参照して、電流減少量Ｘが０％≦Ｘ≦２％でない場合の充電電流の制御を説明する。図中のＢ１は、充電器２００から取得できる充電電流の範囲内で、電流切替部１５０が指定した指定電流値と、指定電流値に関連付けられた充電時間ｔ２とで電池３００を充電する場合の充電電流の制御を示したものである。尚、Ｂ１に対応する電池３００の電圧はＢ２で示されている。このように、本発明の無接点充電制御装置１００は、充電電流が最適な電流値よりも少ない場合、充電器２００から取得できる充電電流に応じて指定電流値を変更し、充電時間ｔを延長させて効率良く確実に電池３００を充電させることができる。
【００４８】
ステップＳ１３において、制御部１４０は電流減少量Ｘが２０％＜Ｘ≦３０％でないと判定すると、無接点充電制御装置１００は、電池３００の充電を異常終了する（ステップＳ０４）
【００４９】
図３のフローチャートでは、電流減少量Ｘが３０％までを検証しているが、更に、多くの電流減少量Ｘの場合を同様のステップで、追加することもできる。
【００５０】
図５は、本発明の第１の実施の形態の無接点充電制御システムにおいて、電子機器としての携帯電話５００の構成例を示すブロック図である。図５を参照すると、携帯電話５００は、無接点充電制御装置１００と、電池３００と、負荷４００としての各種構成部を具備する。無接点充電制御装置１００は、整流平滑回路１１０と、充電制御ＩＣ１２０とを具備する。無接点充電制御装置１００は、二次コイル１１１を介して取得した電力に基づいて、電池３００を充電することができる。電池３００は、充電された電力に基づいて、各ブロックレギュレータ電源供給制御部４１０へ電力を提供する。各ブロックレギュレータ電源供給制御部４１０は、携帯電話５００に備わるその他の構成部位へ電力を提供することができる。
【００５１】
図６は、本発明の第１の実施の形態による無接点充電制御システムにおける充電方法を示した図である。図６を参照すると、携帯電話５００は折りたたみ式であり、折りたたんだ状態と、開いた状態との両方の携帯電話５００が示されている。そして、充電器２００は、平板状の形状を有しており、面に複数の一次コイル２２１を備える。充電器２００の一次コイル２２１の配置面がこのような平板の形状を有しているため、ユーザは携帯電話５００を充電器２００の任意の場所に置くことができる。
【００５２】
携帯電話５００が具備する無接点充電制御装置１００は、携帯電話５００のキーの裏面部へ設置されている。携帯電話５００が、図６の矢印で示すように充電器２００へ置かれると、折りたたんだ状態と開いた状態とでは、各々の二次コイル１１１と充電器２００の一次コイル２２１との距離が異なることになる。つまり、折りたたんだ状態と開いた状態とでは、携帯電話５００が充電器２００から取得できる充電電流に差が生じてしまう。しかし、本発明の無接点充電制御装置１００は、二次コイル１１１と、充電器２００の一次コイル２２１との距離が異なる場合でも、充電器２００から取得できる充電電流の電流値と、その電流値に関連付けられた充電時間ｔとで電池３００を充電することができる。
【００５３】
図７は、本発明の第１の実施の形態の無接点充電制御システムにおいて、複数の携帯電話５００が同時に充電される場合を示した図である。図７を参照すると、携帯電話５００は、図６と同様に、折りたたみ式であり、折りたたんだ状態と開いた状態とが示されている。そして、複数の携帯電話５００は、充電器２００の充電面の上に任意の位置に置かれて充電されている。このような場合でも、本発明の無接点充電制御装置１００は、携帯電話５００毎に充電器２００から取得できる充電電流の電流値と、その電流値に関連付けられた充電時間ｔとで電池３００を充電することができる。
【００５４】
また、図７の例では、充電器２００が提供できる充電電流の電流値が限られている場合、同時に複数の携帯電話５００へ充電電流を提供すると各携帯電話５００で取得できる電流値はおのずと減少してしまう。しかし、無接点充電制御装置１００は、充電器２００から取得できる充電電流の電流値と、その電流値に関連付けられた充電時間ｔとで電池３００を充電しているため、携帯電話５００毎で充電時間を延長し、十分な充電を行うことができる。このように、本発明の無接点充電制御システムは、複数の携帯電話５００を効率良く確実に充電させることができ、充電操作の利便性を高める効果を奏している。
【００５５】
以上のように、本発明の第１の実施の形態による無接点充電制御システムは、無接点充電方式において、充電器２００の一次コイル２２１と、電子機器（携帯電話５００）の二次コイル１１１との位置関係によらず、電子機器（携帯電話５００）の電池３００を効率よく確実に充電させることができる。
【００５６】
本発明の無接点充電制御装置１００の対比として、従来のＡＣＡＤＰ（ＡＣアダプタ）を用いた充電制御方法を説明する。図８は、ＡＣＡＤＰ９００を用いた充電制御構成図である。図８を参照すると、電源プラグを介して提供される電力は、ＡＣＡＤＰ９００と、充電制御ＩＣ１０００とを介して電池３００へ提供される。充電後の電池３００は、負荷４００へ電力を提供することができる。
【００５７】
ＡＣＡＤＰ９００は、電源プラグを介して供給される交流を直流へ変換し、充電制御ＩＣ１０００へ提供する。ＡＣＡＤＰ９００は、電子機器内の電池３００を充電するための充電電流を十分に提供できる電流容量を備えている。
【００５８】
充電制御ＩＣ１０００は、設定された電流値の充電電流を電池３００へ提供する。充電制御ＩＣ１０００は、電流調整部１１００と、モニタ部１２００と、ゲート制御部１３００と、充電電流設定回路１４００を備える。
【００５９】
電流調整部１１００は、ゲート制御部１３００の制御に基づいて、ＡＣＡＤＰ９００から取得し電池３００へ提供する充電電流の電流値を調整する。
【００６０】
モニタ部１２００は、電圧、電流及び電池温度を計測し、ゲート制御部１３００へ提供する。モニタ部１２００は、図１のモニタ部１２２と同様である。
【００６１】
ゲート制御部１３００は、モニタ部１２００から各測定値を取得する。ゲート制御部１３００は、モニタ部１２００から取得した各測定値、或いは充電電流設定回路１４００の設定に基づいて、電池３００へ提供する充電電流の電流値を制御する。
【００６２】
充電電流設定回路１４００は、電池３００を充電する充電電流の最適な電流値を設定する。充電電流設定回路１４００は、本発明の充電電流設定回路１２７と異なり、電流値を抵抗Ｒ１０のみに基づいて決定している。つまり、図８に示す充電制御構成は、充電電流の値が安定していることを前提に構成されている。
【００６３】
図９は、図８に示した充電制御構成を用いて電池３００を充電する際の、充電時間と充電電流との関係を示した図である。図９を参照すると、図４と同様に、横軸が電池３００を充電する充電時間Ｔを表し、縦軸が電池３００へ提供する充電電流ＩＣＨＧ及び電池３００の電圧を表す。尚、電池３００の容量は８００ｍＡｈとし、充電電流は８００ｍＡとする。充電制御ＩＣ１０００は、低電流の予備充電以降に、８００ｍＡの定電流充電を行う。そして、充電制御ＩＣ１０００は、電池３００の電圧が４．２Ｖ近辺に上がってきた時、定電流充電から定電圧充電のトリクル充電へ切替えて、電池３００を４．２Ｖに精度良く充電を行っている。電池３００の容量が８００ｍＡｈであり、充電電流が８００ｍＡである場合、充電時間は約１時間で完了する目安である。ここでは、ＡＣＡＤＰ９００から取得できる充電電流の電流値が、電池３００を充電する電流値を満たしていることが条件となる。
【００６４】
このような充電制御構成は、所望の電流値の充電電流が提供される構成において有効である。本発明の無接点充電制御装置１００は、充電器２００から所望の電流値の充電電流が提供される場合でも、所望の電流値よりも小さい充電電流の場合でも、電池３００を効率よく確実に充電させることができるため、利便性に大変優れる充電制御を行うことができる。
【００６５】
（第２の実施の形態）
本発明の第２の実施の形態を説明する。図１０は、本発明の第２の実施の形態の無接点充電制御システムの構成例を示す図である。本発明の第２の実施の形態による無接点充電制御システムは、電力伝送側が携帯電話６００及びＡＣＡＤＰ７００であり、充電側の電子機器がワイヤレスヘッドセット８００である。ワイヤレスヘッドセット８００は、無線通信によって携帯電話６００と音声やデータなどの信号を送受信することができる。ここでは、携帯電話６００と、ワイヤレスヘッドセット８００との通信は、Ｂｌｕｅｔｏｏｔｈを用いるものとして説明する。尚、本発明の第１の実施の形態と同様の部位には同じ符号を付して説明を省略する。
【００６６】
ＡＣＡＤＰ７００は、電源プラグを介して供給される交流を直流へ変換し、携帯電話６００へ提供する。携帯電話６００は、ＡＣＡＤＰ７００から電力を取得して内部の電池を充電すると共に、二次コイル６２１に基づいてワイヤレスヘッドセット８００へ電力を提供することができる。ワイヤレスヘッドセット８００は、第１の実施の形態の電子機器と同様の二次コイル１１１を備え、携帯電話６００から電力を取得する。ワイヤレスヘッドセット８００は、取得した電力に基づいて、内部の電池を充電する。
【００６７】
図１１は、本発明の第２の実施の形態の無接点充電制御システムにおける、携帯電話６００の構成を示すブロック図である。図１１を参照すると、携帯電話６００は、ＡＣＡＤＰ７００が接続されるコネクタ（レセプタクル）６１０と、無接点電力伝送回路６２０と、一次コイル６２１と、充電制御ＩＣ６３０と、電池６４０と、負荷６５０とを備える。
【００６８】
無接点電力伝送回路６２０は、負荷６５０のＢＢ（ＢＡＳＥ  ＢＡＮＤ）６５２からの信号に基づいて、オンオフが制御される。無接点電力伝送回路６２０は、オンになると一次コイル６２１へ電力を提供し、一次コイル６２１に磁束を発生させる。
【００６９】
一方、充電制御ＩＣ６３０は、コネクタ６１０を介して取得する電力を制御して、電池６４０へ提供する。充電制御ＩＣ６３０の動作は、図８に示した充電制御ＩＣ１０００と同様である。電池６４０は、充電制御ＩＣ６４０の制御に基づいて充電される。電池６４０は、負荷６５０へ電力を提供する。
【００７０】
負荷６５０は、電池６４０からの電力を取得して動作する。負荷６５０は、各ブロックレギュレータ電源供給制御部６５１と、ＢＢ（ＢＡＳＥ  ＢＡＮＤ）６５２と、メモリ６５３と、機能部６５４と、ＲＦ（Ｒａｄｉｏ  Ｆｒｅｑｕｅｎｃｙ）６５５とを含む。
【００７１】
各ブロックレギュレータ電源供給制御部６５１は、電池６４０から電力を取得し、負荷６５０の各部へ電力を提供する。ＢＢ６５２は、ＣＰＵ（Ｃｅｎｔｒａｌ  Ｐｒｏｃｅｓｓｉｎｇ  Ｕｎｉｔ）６５２ａと、論理回路を表すＬＯＧＩＣ６５２ｂとを含む。ＢＢ６５２は、ユーザ入力に基づいて、無接点電力伝送回路６２０のオンオフを制御する。詳細には、ＢＢ６５２は、機能部６５４からユーザ入力に基づく無接点充電を開始する信号を受け取ると、無接点電力伝送回路６２０をオンに制御する。
【００７２】
メモリ６５３は、携帯電話６００に係るデータや、プログラムを格納する。機能部６５４は、ＢＢ６５２の制御に基づいて、携帯電話６００に備わる各種機能を実現する。ＲＦ（Ｒａｄｉｏ  Ｆｒｅｑｕｅｎｃｙ）６５５は、ワイヤレスヘッドセット８００及びその他の携帯電話６００が接続する通信機器との間でデータの送受信を行う。
【００７３】
図１２は、本発明の第２の実施の形態の無接点充電制御システムにおける、ワイヤレスヘッドセット８００の構成を示すブロック図である。図１２を参照すると、ワイヤレスヘッドセット８００は、無接点充電制御装置１００と、電池３００と、負荷８１０とを備える。
【００７４】
無接点充電制御装置１００は、負荷８１０のＢＢ（ＢＡＳＥ  ＢＡＮＤ）８１２からの信号に基づいて、オンオフが制御される。無接点充電制御装置１００は、オンになると第１の実施の形態と同様に動作する。つまり、無接点充電制御装置１００は、二次コイル１１１を介して取得した電力に基づいて、電池３００を充電する。そのとき、充電制御ＩＣ１２０は、整流平滑回路１１０が携帯電話６００から取得した電流値に基づいて指定電流値を設定し、指定電流値で電池３００の充電を制御できる。本発明の第２の実施の形態による無接点充電制御システムにおいても、電力伝送側の携帯電話６００の一次コイル６２１と、充電側のワイヤレスヘッドセット８００の二次コイル１１１との位置関係によらず、ワイヤレスヘッドセット８００の電池３００を効率よく確実に充電させることができる。
【００７５】
負荷８１０は、電池３００からの電力を取得して動作する。負荷８１０は、各ブロックレギュレータ電源供給制御部８１１と、ＢＢ（ＢＡＳＥ  ＢＡＮＤ）８１２と、メモリ８１３と、機能部８１４と、ＢｌｕｅｔｏｏｔｈＲＦ（Ｒａｄｉｏ  Ｆｒｅｑｕｅｎｃｙ）８１５とを含む。
【００７６】
各ブロックレギュレータ電源供給制御部８１１は、電池３００から電力を取得し、負荷８１０の各部へ電力を提供する。ＢＢ８１２は、ＣＰＵ（Ｃｅｎｔｒａｌ  Ｐｒｏｃｅｓｓｉｎｇ  Ｕｎｉｔ）８１２ａと、論理回路を表すＬＯＧＩＣ８１２ｂとを含む。ＢＢ８１２は、ユーザ入力に基づいて、無接点充電制御装置１００のオンオフを制御する。詳細には、ＢＢ８１２は、機能部８１４からユーザ入力に基づく無接点充電を開始する信号を受け取ると、無接点充電制御装置１００をオンに制御する。
【００７７】
メモリ８１３は、ワイヤレスヘッドセット８００に係るデータや、プログラムを格納する。機能部８１４は、ＢＢ８１２の制御に基づいて、ワイヤレスヘッドセット８００に備わる各種機能を実現する。機能部８１４は、ＬＣＤ（Ｌｉｑｕｉｄ  Ｃｒｙｓｔａｌ  Ｄｉｓｐｌａｙ）８１４ａと、マイク８１４ｂと、レシーバーアンプ８１４ｃとを含む。レシーバーアンプ８１４ｃには、イヤホン８１４ｄが接続され、送受信する音声データを出力することができる。ＢｌｕｅｔｏｏｔｈＲＦ８１５は、携帯電話６００との間でデータの送受信を行う。
【００７８】
図１３は、本発明の第２の実施の形態による無接点充電システムの処理動作を示したフローチャートである。図１３を参照して、本発明の第２の実施の形態による無接点充電制御システムの処理動作を説明する。
【００７９】
携帯電話６００は、ＡＣＡＤＰ７００とコネクタ６１０を介して接続される（ステップＳ２０）。
【００８０】
携帯電話６００のＢＢ６５２は、ユーザ入力に基づく無接点充電を開始する信号を受け取ると、無接点電力伝送回路６２０をオンに制御する。無接点電力伝送回路６２０は、オンになると一次コイル６２１へ電力を提供し、一次コイル６２１に磁束を発生させる（ステップＳ２１）。
【００８１】
ワイヤレスヘッドセット８００のＢＢ８１２は、ユーザ入力に基づく無接点充電を開始する信号を受け取ると、無接点充電制御装置１００をオンに制御する。つまり、無接点充電制御装置１００は、ＢＢ８１２からの信号に基づいてオンになる（ステップＳ２２）。
【００８２】
無接点充電制御装置１００は、二次コイル１１１を介して取得した電力に基づいて、ワイヤレスヘッドセット８００が備える電池３００を充電する（ステップＳ２３）。ステップＳ２３の詳細な処理動作は、図３と同様である。
【００８３】
一方、携帯電話６００の充電制御ＩＣ６３０は、コネクタ６１０を介して取得する電力に基づいて、携帯電話６００が備える電池６４０を充電する（ステップＳ２４）。
【００８４】
携帯電話６００が備える電池６４０を充電する処理動作を説明する。図１４は、携帯電話６００が電池６４０を充電する処理動作を示すフローチャートである。
【００８５】
充電制御ＩＣ６３０は、予備充電が正常であるか否かを判定する（ステップＳ３０）。ステップＳ３０において、予備充電が正常でない場合、充電制御ＩＣ６３０は充電を異常終了する。ステップＳ３０において、予備充電が正常である場合、充電制御ＩＣ６３０は急速充電を行う（ステップＳ３１）。更に、充電制御ＩＣ６３０は、トリクル充電を行う（ステップＳ３２）。
【００８６】
充電制御ＩＣ６３０は、電池６４０の充電電圧が４．２Ｖ±１０％であるか否かを判定する（ステップＳ３３）。ステップＳ３３において、充電電圧が４．２Ｖ±１０％である場合、充電制御ＩＣ６３０は充電を終了する。
【００８７】
ステップＳ３３において、充電電圧が４．２Ｖ±１０％でない場合、充電制御ＩＣ６３０は充電時間の範囲外であるか否かを判定する（ステップＳ３４）。ステップＳ３４において、充電時間範囲外である場合、充電制御ＩＣ６３０は充電を異常終了する。ステップＳ３４において、充電時間範囲内である場合、ステップＳ３２へ進む。
【００８８】
以上のように、本発明の第２の実施の形態による無接点充電制御システムは、電力伝送側の一つのＡＣＡＤＰ７００で携帯電話６００とワイヤレスヘッドセット８００とを同時に充電することが可能となるため、普及してきているワイヤレスヘッドセット８００の利便性を向上させる効果を奏している。更に、本発明の第２の実施の形態による無接点充電制御システムは、電力伝送側の携帯電話６００の一次コイル６２１と、充電側のワイヤレスヘッドセット８００の二次コイル１１１との位置関係によらず、ワイヤレスヘッドセット８００の電池３００を効率よく確実に充電できる効果も奏している。
【００８９】
（第３の実施の形態）
本発明の無接触充電制御システムの第３の実施の形態を説明する。第３の実施の形態は、第２の実施の形態に、更に、携帯電話６００とワイヤレスヘッドセット８００とのペアリング認証を追加したものである。ペアリングとは、予め携帯電話６００にワイヤレスヘッドセット８００の情報を登録しておき、携帯電話６００とワイヤレスヘッドセット８００とを接続するときに、ワイヤレスヘッドセット８００から携帯電話６００に接続を許可してもらうための認証動作を指している。本発明の第３の実施の形態による無接触充電制御システムの構成は、図１０〜図１２に示した図と同様であるため、それらを参照して説明する。
【００９０】
図１１を参照して、本発明の第３の実施の形態による携帯電話６００を説明する。第３の実施の形態の携帯電話６００は、メモリ６５３が予めワイヤレスヘッドセット８００の識別情報を格納している。識別情報は、ワイヤレスヘッドセット８００の機器登録番号や暗証番号が例示される。また、ＲＦ６５５は、ワイヤレスヘッドセット８００が送信する識別情報を受信して、ＢＢ６５２へ提供する。ＢＢ６５２は、メモリ６５３に格納している識別情報と、ワイヤレスヘッドセット８００から受信した識別情報とが一致するか否かを判定する。識別情報が一致する場合、ＢＢ６５２は、識別情報が一致したことを示す信号を、ＲＦ６５２を介してワイヤレスヘッドセット８００へ送信するように制御する。
【００９１】
図１２を参照して、本発明の第３の実施の形態によるワイヤレスヘッドセット８００を説明する。第３の実施の形態のワイヤレスヘッドセット８００は、メモリ８１３が予め識別情報を格納する。ＢＢ８１２は、ペアリング認証を実行するユーザ入力に基づいて、メモリ８１３から識別情報を取得する。ＢｌｕｅｔｏｏｔｈＲＦ８１５は、ＢＢ８１２の制御に基づいて識別情報を携帯電話６００に送信する。そして、ＢＢ８１２は、ＢｌｕｅｔｏｏｔｈＲＦ８１５が携帯電話６００から識別情報が一致したことを示す信号を受信すると、無接点充電制御装置１００をオンにする。つまり、ワイヤレスヘッドセット８００は、携帯電話６００においてペアリング認証がなされた場合のみ、携帯電話６００との間で無接点充電を行うことができる。
【００９２】
図１５は、本発明の第３の実施の形態による無接点充電システムの処理動作を示したフローチャートである。図１５を参照して、本発明の第３の実施の形態による無接点充電制御システムの処理動作を説明する。
【００９３】
携帯電話６００は、ＡＣＡＤＰ７００とコネクタ６１０を介して接続される（ステップＳ４０）。
【００９４】
携帯電話６００のＢＢ６５２は、ユーザ入力に基づく無接点充電を開始する信号を受け取ると、無接点電力伝送回路６２０をオンに制御する。無接点電力伝送回路６２０は、オンになると一次コイル６２１へ電力を提供し、一次コイル６２１に磁束を発生させる（ステップＳ４１）。
【００９５】
ワイヤレスヘッドセット８００は、ユーザ入力に基づいてペアリングを開始する。詳細には、ワイヤレスヘッドセット８００のＢＢ８０２は、ペアリング認証を実行するユーザ入力に基づいて、メモリ８１３から識別情報を取得する。ＢｌｕｅｔｏｏｔｈＲＦ８１５は、ＢＢ８１２の制御に基づいて識別情報を携帯電話６００に送信する。携帯電話６００のＲＦ６５５は、ワイヤレスヘッドセット８００が送信する識別情報を受信して、ＢＢ６５２へ提供する。ＢＢ６５２は、メモリ６５３に格納している識別情報と、ワイヤレスヘッドセット８００から受信した識別情報とが一致するか否かを判定する（ステップＳ４２、Ｓ４３）。
【００９６】
ステップＳ４３において、識別情報が一致しない場合（Ｎｏ）、携帯電話６００のＢＢ６５２は設定時間内であるか否かを判定する（ステップＳ４４）。設定時間内である場合（Ｙｅｓ）、ステップＳ４２へ進む。設定時間内でない場合（Ｎｏ）、異常終了する。
【００９７】
ステップＳ４３において、識別情報が一致する場合（Ｙｅｓ）、携帯電話６００のＢＢ６５２は、識別情報が一致したことを示す信号を、ＲＦ６５２を介してワイヤレスヘッドセット８００へ送信するように制御する。そして、ワイヤレスヘッドセット８００のＢＢ８１２は、ＢｌｕｅｔｏｏｔｈＲＦ８１５が携帯電話６００から識別情報が一致したことを示す信号を受信すると、無接点充電制御装置１００をオンにする（ステップＳ４５）。
【００９８】
無接点充電制御装置１００は、二次コイル１１１を介して取得した電力に基づいて、ワイヤレスヘッドセット８００が備える電池３００を充電する（ステップＳ４６）。ステップＳ４６の詳細な処理動作は、図３と同様である。
【００９９】
一方、携帯電話６００の充電制御ＩＣ６３０は、コネクタ６１０を介して取得する電力に基づいて、携帯電話６００が備える電池６４０を充電する（ステップＳ４７）。ステップＳ４７の詳細な処理は、図１４と同様である。
【０１００】
本発明の第２及び第３の実施の形態の無接点充電制御システムにおける、携帯電話６００及びワイヤレスヘッドセット８００の対比となる、従来の携帯電話及びワイヤレスヘッドセットを説明する。図１６は、従来の携帯電話１６００の構成例を示すブロック図である。図１６を参照すると、携帯電話１６００は、コネクタ（レセプタクル）１６１０と、充電制御ＩＣ１６３０と、電池１６４０と、機能部１６５０とを備える。携帯電話１６００は、図１１に示した携帯電話６００と異なり、無接点電力伝送回路と、一次コイルとを含まない。従って、携帯電話１６００は、ペアで使用するワイヤレスのワイヤレスヘッドセット１８００を無接点充電することができない。
【０１０１】
図１７は、従来のワイヤレスヘッドセット１８００の構成例を示すブロック図である。図１７を参照すると、ワイヤレスヘッドセット１８００は、コネクタ（レセプタクル）１８１０と、充電制御ＩＣ１８２０と、電池１８３０と、負荷１８４０とを備える。ワイヤレスヘッドセット１８００は、図１２に示したワイヤレスヘッドセット８００と異なり、無接点充電制御装置１００を含まない。従って、ワイヤレスヘッドセット１８００は、ペアで使用する携帯電話１６００と無接点充電することができない。
【０１０２】
図１６に示した携帯電話１６００のコネクタ１６１０と、図１７に示したワイヤレスヘッドセット１８００のコネクタ１８１０とは形状は異なっている。つまり、携帯電話１６００は、コネクタ１６１０と、コネクタ１６１０の形状に適合する専用のＡＣＡＤＰ１７００とが接続され電力が供給される。一方、ワイヤレスヘッドセット１８００は、コネクタ１８１０と、コネクタ１８１０の形状に適合する専用のＡＣＡＤＰ１９００とが接続され電力が供給される。つまり、携帯電話１６００とワイヤレスヘッドセット１８００とは、各々専用品のＡＣＡＤＰを使用しなければならない。携帯電話１６００のコネクタ１６１０は、ＩＭＴ２０００仕様（ＥＩＡＪ  ＲＣ−５２３８準拠）で規定されている。一例としてパナソニック社製コネクタ、品名ＡＸＲ３Ｗ１０１Ｐのコネクタ寸法Ｌ；Ｗ；Ｈを示すと、１５．２ｍｍ；７．５ｍｍ；４．０ｍｍであり、サイズの小さいワイヤレスヘッドセット１８００には寸法上適用できないサイズである。尚、図１６の携帯電話１６００のサイズは、長さ１０９ｍｍ、幅５０ｍｍ、厚さ１３．９ｍｍの直方体形状が例示される。また、図１７のワイヤレスヘッドセット１８００のサイズは、長さ６６ｍｍ、直径１３ｍｍの円筒形状が例示される。
【０１０３】
近年、携帯電話とペアで使用するワイヤレスヘッドセットが普及してきている。携帯電話での音楽再生をワイヤレスヘッドセットで聞き、着信及び発信時は通話モードに切り替えて使用するユーザが増えている。また、ユーザが車を運転する場合では、ワイヤレスヘッドセットを利用して携帯電話で通話することが遵法に合致している。特に、ワイヤレスヘッドセットは、携帯電話と物理的なケーブルで接続されていないため、運転の妨げにならないことでも優れている。しかし、図１６、図１７に示したような現状市販されている携帯電話１６００及びワイヤレスヘッドセット１８００は、コネクタ形状の違いから各々の専用のＡＣＡＤＰを使用しなくてはならないため不便である。本発明の無接点充電制御システムでは、電力伝送側の一つのＡＣＡＤＰで携帯電話とワイヤレスヘッドセットとを同時に充電することが可能であるため、普及しているワイヤレスヘッドセットの利便性を更に向上させる効果を奏している。
【符号の説明】
【０１０４】
１〜４  Ｎ−ＭＯＳゲート端子
１００  無接点充電制御装置
１１０  整流平滑回路
１１１  二次コイル
１２０  充電制御ＩＣ
１２１  電流調整部
１２２  モニタ部
１２３  電圧モニタ
１２４  電流モニタ
１２５  温度モニタ
１２６  ゲート制御部
１２７  充電電流設定回路
１３０  ＡＤＣ
１４０  制御部
１５０  電流切替部
１５１〜１５４  Ｎ−ＭＯＳトランジスタ
２００  充電器
２１０  ＡＣＡＤＰ
２１１  電源プラグ
２２０  無接点電力伝送回路
２２１  一次コイル
３００  電池
４００  負荷
４１０  各ブロックレギュレータ電源供給制御部
５００  携帯電話
６００  携帯電話
６１０  コネクタ
６２０  無接点電力伝送回路
６２１  一次コイル
６３０  充電制御ＩＣ
６４０  電池
６５０  負荷
６５１  各ブロックレギュレータ電源供給制御部
６５２  ＢＢ
６５２ａ  ＣＰＵ
６５２ｂ  ＬＯＧＩＣ
６５３  メモリ
６５４  機能部
６５５  ＲＦ
７００  ＡＣＡＤＰ
８００  ワイヤレスヘッドセット
８１０  負荷
８１１  各ブロックレギュレータ電源供給制御部
８１２  ＢＢ
８１２ａ  ＣＰＵ
８１２ｂ  ＬＯＧＩＣ
８１３  メモリ
８１４  機能部
８１４ａ  ＬＣＤ
８１４ｂ  マイク
８１４ｃ  レジーバーアンプ
８１４ｄ  イヤホン
９００  ＡＣＡＤＰ
１０００  充電制御ＩＣ
１１００  電流調整部
１２００  モニタ部
１２１０  電圧モニタ
１２２０  電流モニタ
１２３０  温度モニタ
１３００  ゲート制御部
１４００  充電電流設定回路
１６００  携帯電話
１６１０  コネクタ
１６３０  充電制御ＩＣ
１６４０  電池
１６５０  負荷
１７００  ＡＣＡＤＰ
１８００  ワイヤレスヘッドセット
１８１０  コネクタ
１８２０  充電制御ＩＣ
１８３０  電池
１８４０  負荷
【図１】
2010207074.tif 000003
【図２】
2010207074.tif 000004
【図３】
2010207074.tif 000005
【図４】
2010207074.tif 000006
【図５】
2010207074.tif 000007
【図６】
2010207074.tif 000008
【図７】
2010207074.tif 000009
【図８】
2010207074.tif 000010
【図９】
2010207074.tif 000011
【図１０】
2010207074.tif 000012
【図１１】
2010207074.tif 000013
【図１２】
2010207074.tif 000014
【図１３】
2010207074.tif 000015
【図１４】
2010207074.tif 000016
【図１５】
2010207074.tif 000017
【図１６】
2010207074.tif 000018
【図１７】
2010207074.tif 000019